(57)【要約】【課題】構造を簡素化し、液位センサを容易に点検可能な液位センサ点検器具を提供する。【解決手段】液位センサ点検器具１は、液槽内に設置された液位センサ２を一定方向に回動させて内部のスイッチのオン、オフ動作を点検する。液位センサ点検器具１は、長尺の柄部３の一端に設けられ、一定方向であって所定角度以上に回動させる回動部材４と、この回動部材４に設けられて液位センサ２を保持する保持部材５と、柄部３の他端に設けられ、回動部材４の回動を操作する操作部材６と、を備える。【選択図】図１
2020094829.tif 000002
【特許請求の範囲】
【請求項１】
液槽内に設置された液位センサを一定方向に回動させて内部のスイッチのオン、オフ動作を点検する液位センサ点検器具であって、
長尺の柄部の一端に設けられ、前記一定方向であって所定角度以上に回動させる回動部材と、
前記回動部材に設けられて前記液位センサを保持する保持部材と、
前記柄部の他端に設けられて前記回動部材の回動を操作する操作部材と、
を備えることを特徴とする液位センサ点検器具。
【請求項２】
前記操作部材は、前記回動部材を回動可能に操作する第１の把持部と、この第１の把持部に隣接して配置され、前記保持部材を保持可能に操作する第２の把持部と、を有することを特徴とする請求項１に記載の液位センサ点検器具。
【請求項３】
前記保持部材は、開閉可能に構成された開閉部材を有し、この開閉部材を閉じたときに前記液位センサを保持することを特徴とする請求項１又は２に記載の液位センサ点検器具。
【請求項４】
前記保持部材は、前記液位センサを出し入れ可能に収納し、前記液位センサを前記一定方向であって前記所定角度以上までの回動を保持する収納凹部が形成されていることを特徴とする請求項１に記載の液位センサ点検器具。
【発明の詳細な説明】
【技術分野】
【０００１】
本発明は、例えば雑排水槽等の液槽において液位を検出する液位センサを点検するための液位センサ点検器具に関する。
【背景技術】
【０００２】
一般に、液位としての水位を検出するセンサには、例えばレベルレギュレータがある。このレベルレギュレータは、空気中では鉛直方向に吊り下がっており、水槽内の水位が上昇してレベルレギュレータに達すると、一定の方向に傾き、この動作で内部のスイッチがオン、又はオフして液面を検知する。そして、水位が上昇してもレベルレギュレータは、定位置に傾いたまま水中に没し、液面に浮遊することはない。
【０００３】
上記レベルレギュレータは、内部のスイッチのオン、オフが正確に動作するか定期的に保守点検する必要がある。この場合、従来では、レベルレギュレータがマンホールを通して作業員の手が届く範囲に配置されていれば、容易に点検可能である。
【０００４】
しかしながら、レベルレギュレータがマンホールを通して作業員の手が届かない範囲に配置されている場合には、水槽内の全ての水を抜いた後、作業員が水槽内に入り込み、レベルレギュレータを把持して一定の方向に傾けて内部のスイッチのオン、オフ動作を点検している。
【０００５】
また、このようにレベルレギュレータが作業員の手が届かない範囲に配置されている場合には、例えば特許文献１に記載されたマジックハンドを使用して作業員が水槽内に入り込まないで点検することも考えられる。
【先行技術文献】
【特許文献】
【０００６】
【特許文献１】実用新案登録第３２０９３５２号公報
【発明の概要】
【発明が解決しようとする課題】
【０００７】
しかしながら、従来のマジックハンドでは、被把持物を左右両側から把持することができるものの、上記レベルレギュレータのように一定の方向に傾けることで動作するものについては、対応することができない。そのため、作業員は、マジックハンドで上記レベルレギュレータを把持すると同時に、マジックハンド本体を回動操作して一定の方向に傾ける必要がある。
【０００８】
その結果、従来のマジックハンドでは、点検作業に手間がかかり、極めて作業性が悪いという問題がある。また、従来のマジックハンドは、部品点数が多く、構造が複雑であるという問題もある。
【０００９】
そこで、本発明は上記の問題に鑑みてなされたものであり、構造を簡素化し、液位センサを容易に点検可能な液位センサ点検器具を提供することを目的とする。
【課題を解決するための手段】
【００１０】
かかる目的を達成するために、請求項１に記載の発明は、液槽内に設置された液位センサを一定方向に回動させて内部のスイッチのオン、オフ動作を点検する液位センサ点検器具であって、長尺の柄部の一端に設けられ、前記一定方向であって所定角度以上に回動させる回動部材と、前記回動部材に設けられて前記液位センサを保持する保持部材と、前記柄部の他端に設けられ、前記回動部材の回動を操作する操作部材と、を備えることを特徴とする。
【００１１】
また、請求項２に記載の発明は、請求項１に記載の構成に加え、前記操作部材は、前記回動部材を回動可能に操作する第１の把持部と、この第１の把持部に隣接して設置され、前記保持部材を保持可能に操作する第２の把持部と、を有することを特徴とする。
【００１２】
また、請求項３に記載の発明は、請求項１又は２に記載の構成に加え、前記保持部材は、開閉可能に構成された開閉部材を有し、この開閉部材を閉じたときに前記液位センサを保持することを特徴とする。
【００１３】
また、請求項４に記載の発明は、請求項１に記載の構成に加え、前記保持部材は、前記液位センサを出し入れ可能に収納し、前記液位センサを前記一定方向であって前記所定角度以上までの回動を保持する収納凹部が形成されていることを特徴とする
【発明の効果】
【００１４】
請求項１に記載の発明によれば、回動部材に設けられた保持部材によって液位センサを保持し、操作部材で回動部材を操作して一定方向であって所定角度以上に回動させることで、液位センサのスイッチのオン、オフ動作を点検するようにしたので、構造を簡素化し、液位センサを容易に点検することが可能になる。
【００１５】
また、請求項２に記載の発明によれば、操作部材は、回動部材を回動可能に操作する第１の把持部と、この第１の把持部に隣接して設置され、保持部材を保持可能に操作する第２の把持部と、を有することにより、第２の把持部で保持部材を保持するように操作し、第２の把持部に隣接する第１の把持部材で回動部材を回動させるように操作することで、使い勝手が良好になり、操作性を高めることができる。
【００１６】
また、請求項３に記載の発明によれば、保持部材は、開閉可能に構成された開閉部材を有し、この開閉部材を閉じたときに液位センサを保持することにより、液位センサを確実に保持することが可能になる。
【００１７】
また、請求項４に記載の発明によれば、保持部材は、液位センサを出し入れ可能に収納し、液位センサを一定方向であって所定角度以上までの回動を保持する収納凹部が形成されているので、開閉機構を設けることなく、液位センサを保持することができる。その結果、構造を一段と簡素化することが可能になる。
【図面の簡単な説明】
【００１８】
【図１】本発明の第１実施形態に係る液位センサ点検器具を示す概略構成図である。
【図２】図１の保持部材が液位センサを収納する状態を示す説明図である。
【図３】図１の回動部材を回動させる前の回動ローラを示す構成図である。
【図４】図１の回動部材を回動させた後の回動ローラを示す構成図である。
【図５】本発明の第２実施形態に係る液位センサ点検器具の操作部材及び保持部材の開閉部材が開いた状態を示す部分断面構成図である。
【図６】図５の保持部材の開閉部材が閉じた状態を示す部分断面構成図である。
【発明を実施するための形態】
【００１９】
以下、本発明の実施形態について、図面を参照して詳細に説明する。
【００２０】
［第１実施形態］
図１〜図４には、本発明の第１実施形態を示す。図１は、本発明の第１実施形態に係る液位センサ点検器具を示す概略構成図である。図２は、図１の保持部材が液位センサを収納する状態を示す説明図である。図３は、図１の回動部材を回動させる前の回動ローラを示す構成図である。図４は、図１の回動部材を回動させた後の回動ローラを示す構成図である。
【００２１】
なお、以下の実施形態では、保持部材が設置された方向を先端方向とし、操作部材が設置された方向を後端方向として説明する。また、以下の実施形態では、液位センサとして水位センサに適用し、その水位センサとしてレベルレギュレータを用いた例について説明する。
【００２２】
本実施形態の水位センサ点検器具１は、図示しない水槽内に設置された図２に示す水位センサ２を一定方向に所定角度以上、例えば１００度以上回動させて内部のスイッチのオン、オフ動作を点検するものである。水位センサ２は、水槽内の水位が所定水位以上になると、浮力で一定方向に回動して内部のスイッチがオン又はオフすることで、その旨を検出している。
【００２３】
水位センサ点検器具１は、図１に示すように長尺の柄部３と、この柄部３の一端に設けられた回動部材４と、この回動部材４に設けられて水位センサ２を保持する保持部材５と、柄部３の他端に設けられ、回動部材４の回動を操作する操作部材６と、を備える。
【００２４】
図１に示すように長尺の柄部３は、例えば１．５〜２．０ｍ程度の長さの金属又は合成樹脂製の円筒パイプである。なお、柄部３は、テレスコピック式に伸縮可能な構造であってもよい。柄部３内には、長さ方向に沿って操作ワイヤ７が設けられている。この操作ワイヤ７の一端は、回動部材４の回動パイプ１２の先端に係止され、操作ワイヤ７の他端は、操作部材６の把持部（第１の把持部）６ａに固定されている。
【００２５】
柄部３の一端（先端）近傍と回動部材４の回動パイプ１２との間には、図３に示すように弾性部材としてのコイルばね８が取り付けられている。このコイルばね８は、柄部３に対して回動部材４の回動パイプ１２が同一直線上に位置するように弾性力を付与している。
【００２６】
回動部材４は、保持部材５を一定方向であって所定角度以上、例えば本実施形態では１００度以上に回動させる。具体的には、図３に示すように回動部材４は、柄部３の一端に回動可能に軸支され、外周の一部を切り欠いて切り欠き部１０ａが形成された回動ローラ１０と、この回動ローラ１０の切り欠き部１０ａに係合し、操作ワイヤ７の所定位置に固定された係合部材１１と、回動ローラ１０が回動することによって柄部３の一端に対して回動する上記回動パイプ１２と、を備える。この回動パイプ１２は、柄部３と同様の材質で同一径に形成され、保持部材５で水位センサ２を下方から保持し易いように折れ曲がって形成されている。
【００２７】
したがって、本実施形態では、作業員が操作部材６の把持部６ａを把持することで、操作ワイヤ７が引っ張られ、係合部材１１が回動ローラ１０を所定の角度に回動させる。この回動ローラ１０が回動することによって、回動パイプ１２が所定の角度に回動するように構成されている。
【００２８】
保持部材５は、図１に示すように回動部材４の回動パイプ１２の先端に設置され、水位センサ２を出し入れ可能に収納する。具体的には、保持部材５は、図２に示すように例えば金網によって中膨らみの壺形状に形成され、その開口端の内径Ｄ１が水位センサ２の外径Ｄ２より若干大きく形成されている。保持部材５は、中膨らみの壺形状に形成されていることから、内周面に収納凹部１３が形成される。
【００２９】
本実施形態の水位センサ２は、紡錘状に形成されている。そのため、水位センサ２が保持部材５内に収納されたとき、水位センサ２が収納凹部１３内に入り込む。その結果、保持部材５は、水位センサ２を一定方向であって所定角度以上まで回動するのを保持することが可能になる。
【００３０】
操作部材６は、作業員が把持するための上記把持部６ａを備えている。作業員が把持部６ａを把持して操作ワイヤ７を引っ張ることで、係合部材１１が回動ローラ１０を回動させて回動パイプ１２を所定の角度に回動させる。
【００３１】
次に、本実施形態の作用を説明する。
【００３２】
水位センサ２のオン、オフ動作を点検するには、まず、作業員は水位センサ点検器具１を手に持って図２に示すように保持部材５に水位センサ２を収納する。この場合、水位センサ２は、保持部材５の収納凹部１３内に入り込む。
【００３３】
そして、作業員は操作部材６の把持部６ａを把持することで、図３の状態から操作ワイヤ７が引っ張られ、図４に示すように係合部材１１が回動ローラ１０を所定の角度に回動させる。すると、回動ローラ１０が回動することによってコイルばね８の弾性力に抗して回動パイプ１２が回動する。
【００３４】
そのとき、保持部材５の収納凹部１３内に水位センサ２が入り込んでいるので、保持部材５は、水位センサ２を一定方向であって所定角度以上、例えば１００度以上の角度に回動しても、収納した状態を保持することになる。このようにして水位センサ２を一定方向で例えば１００度以上傾けることにより、内部のスイッチがオン又はオフ動作を検出することで、水位センサ２の作動状態を点検することができる。
【００３５】
その後、作業員は操作部材６の把持部６ａを把持しないようにすると、コイルばね８の弾性力によって回動パイプ１２が回動して柄部３に対して同一直線上に位置するように戻る。
【００３６】
次いで、作業員は水位センサ点検器具１を手に持って保持部材５から点検済の水位センサ２を離脱させる。そして、一つの水位センサ２の点検が終了した後、以上のような一連の動作を繰り返すことで、多数の水位センサ２を順次点検することができる。
【００３７】
このように本実施形態によれば、回動部材４に設けられた保持部材５によって水位センサ２を保持し、操作部材６で回動部材４を操作して一定方向であって所定角度以上に回動させることで、水位センサ２のスイッチのオン、オフ動作を点検するようにしたので、構造を簡素化し、水位センサ２を容易に点検することが可能になる。
【００３８】
また、本実施形態によれば、保持部材５は、水位センサ２を出し入れ可能に収納し、水位センサ２を一定方向であって所定角度以上までの回動を保持する収納凹部１３が形成されているので、水位センサ２を保持するための開閉機構を設けることなく、水位センサ２を保持することができる。その結果、構造を一段と簡素化することが可能になる。
【００３９】
さらに、本実施形態によれば、保持部材５を金網によって構成したので、保持部材５に水位センサ２が保持されたかを目視にて容易に確認することが可能になる。
【００４０】
なお、本実施形態では、図示しないが、回動パイプ１２の先端側にライトやＣＣＤカメラを取り付けることで、水位センサ２が確認し易くなり、点検作業が一段と容易になる。
【００４１】
［第２実施形態］
図５は、本発明の第２実施形態に係る液位センサ点検器具の操作部材及び保持部材の開閉部材が開いた状態を示す部分断面構成図である。図６は、図５の保持部材の開閉部材が閉じた状態を示す部分断面構成図である。
【００４２】
なお、前記第１実施形態と同一の部分には、同一の符号を付して重複する説明を省略し、異なる構成及び作用について説明する。
【００４３】
本実施形態では、主として保持部材の構成及び作用が前記第１実施形態と異なる。具体的には、本実施形態の保持部材１５は、図５に示すように基板部１６と、この基板部１６の両側にそれぞれの基端部が連結ピンにより回動可能に軸支され、それぞれ略椀状に形成されて開閉可能に構成された開閉部材１７，１７と、これら開閉部材１７，１７を開くように弾性力を付与するコイルばね１８，１８と、開閉部材１７，１７を開閉するリンク機構２０と、を備える。
【００４４】
リンク機構２０は、図５及び図６に示すように一端（下端）が操作ワイヤ９の先端に接続されて上下に移動可能な上下駆動リンク２１と、この上下駆動リンク２１の他端（上端）の左右にそれぞれ連結ピンにより一端が軸支された開閉駆動リンク２２，２２と、を有している。これら開閉駆動リンク２２，２２の他端は、それぞれ開閉部材１７，１７の内面に連結ピンにより軸支されている。
【００４５】
操作ワイヤ９の他端は、回動パイプ１２を経て柄部３を通り操作部材６の第２の把持部としての把持部６ｂに接続されている。この把持部６ｂは、回動部材４の回動を操作する第１の把持部としての把持部６ａと隣接して設置されている。
【００４６】
したがって、操作部材６の把持部６ａを把持して操作ワイヤ９を引っ張って上下駆動リンク２１を下げると、開閉駆動リンク２２，２２が引っ張られて開閉部材１７，１７がコイルばね１８の弾性力に抗して閉じる方向に移動する。これにより、開閉部材１７，１７が水位センサ２を保持することができる。
【００４７】
本実施形態では、操作部材６の把持部６ｂを把持することで、操作ワイヤ９が引っ張られ、保持部材１５の開閉部材１７，１７が閉じて水位センサ２を保持する。そして、操作部材６の把持部６ｂを把持しつつ、操作部材６の把持部６ａを把持することで、操作ワイヤ７が引っ張られ、回動部材４を操作して一定方向であって所定角度以上に回動させるように構成されている。この場合には、把持部６ａと把持部６ｂとが隣接して配置されていることから、容易に操作することが可能になる。
【００４８】
次に、本実施形態の作用を説明する。
【００４９】
水位センサ２のオン、オフ動作を点検するには、まず、作業員は水位センサ点検器具１を手に持って操作部材６の把持部６ｂを把持することで、操作ワイヤ９が引っ張られる。この場合には、開閉部材１７，１７がコイルばね１８の弾性力に抗して閉じることで、水位センサ２を保持する。
【００５０】
また、作業員は把持部６ｂを把持した状態で、操作部材６の把持部６ａを把持することで、図３の状態から操作ワイヤ７が引っ張られ、図４に示すように係合部材１１が回動ローラ１０を所定の角度に回動させる。すると、回動ローラ１０が回動することによってコイルばね８の弾性力に抗して回動パイプ１２が回動する。
【００５１】
そのとき、保持部材５の開閉部材１７，１７で水位センサ２が保持されているので、保持部材１５は、水位センサ２を一定方向であって所定角度以上、例えば１００度以上の角度に回動するのを保持することになる。このようにして水位センサ２を一定方向で例えば１００度以上傾けることにより、内部のスイッチがオン又はオフ動作を検出することで、水位センサ２の作動状態を点検することができる。
【００５２】
その後、作業員は操作部材６の把持部６ａを把持しないようにすると、コイルばね８の弾性力によって回動パイプ１２が回動して柄部３に対して同一直線上に位置するように戻る。そして、作業員は操作部材６の把持部６ｂを把持しないようにすると、コイルばね１８の弾性力によって開閉部材１７，１７が開いて保持部材１５から水位センサ２を離脱させる。一つの水位センサ２の点検が終了した後、以上のような一連の動作を繰り返すことで、多数の水位センサ２を順次点検することができる。
【００５３】
このように本実施形態によれば、操作部材６は、回動部材４を回動可能に操作する把持部６ａと、この把持部６ａに隣接して配置され、保持部材１５を保持可能に操作する把持部６ｂと、を有することにより、把持部６ｂで保持部材１５が水位センサ２を保持するように操作し、把持部６ｂに隣接する把持部材６ａで回動部材４を回動させるように操作することで、使い勝手が良好になり、操作性を高めることができる。
【００５４】
また、本実施形態によれば、保持部材１５は、開閉可能に構成された開閉部材１７，１７を有し、この開閉部材１７，１７を閉じたときに水位センサ２を把持することにより、水位センサ２を確実に保持することが可能になる。その結果、信頼性を向上させることができる。その他の構成及び作用は、前記第１実施形態と同様であるので、その説明を省略する。
【００５５】
[他の実施形態]
本発明の各実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更、組み合わせを行うことができる。これらの実施形態やその変形例は、発明の範囲や要旨に含まれると同様に、特許請求の範囲に記載された発明とその均等の範囲に含まれるものである。
【００５６】
例えば、上述した各実施形態では、水位センサ２を紡錘状に形成した例について説明したが、これに限らずその他の形状であってもよい。前記第１実施形態では、紡錘状の水位センサ２に対応して保持部材５の収納凹部１３を形成したが、水位センサ２の外形に応じて収納凹部１３の形状を適宜変更するようにしてもよい。要するに、保持部材５の収納凹部１３は、水位センサ２を収納して所定角度以上傾けた場合に保持部材５から水位センサ２が離脱しないような形状であればよい。
【００５７】
また、上記各実施形態では、弾性部材としてコイルばね８，１８を用いた例について説明したが、これに限定されることなく、例えば板ばねやゴム等の他の弾性部材を用いてもよい。
【００５８】
さらに、上記各実施形態では、水槽の水位を検出する水位センサ２を点検する例について説明したが、これに限らず水以外の他の液体の液位を検出する液位センサを点検する場合でも適用可能である。
【符号の説明】
【００５９】
１  水位センサ点検器具（液位センサ点検器具）
２  水位センサ（液位センサ）
３  柄部
４  回動部材
５  保持部材
６  操作部材
６ａ  把持部
６ｂ  把持部
７  操作ワイヤ
８  コイルばね（弾性部材）
９  操作ワイヤ
１０  回動ローラ
１０ａ  切り欠き部
１１  係合部材
１２  回動パイプ
１３  収納凹部
１５  保持部材
１６  基板部
１７  開閉部材
１８  コイルばね（弾性部材）
２０  リンク機構
２１  上下駆動リンク
２２  開閉駆動リンク
【図１】
2020094829.tif 000003
【図２】
2020094829.tif 000004
【図３】
2020094829.tif 000005
【図４】
2020094829.tif 000006
【図５】
2020094829.tif 000007
【図６】
2020094829.tif 000008